(57)【要約】【課題】  複数のフレキシブルな記録ディスクメディアを収納した記録ディスクカートリッジ内の塵埃を効率的に取り除く構成を提供し、塵埃による不具合を無くすようにする。【解決手段】  記録ディスクカートリッジ１０は、複数の磁気ディスク１と、磁気ディスク１の各面に向かって空気を吹き出す排気孔２１ａ，２２ａ，２３ａ，２４ａおよび底部から空気を吸気する吸気孔２４ｂを形成されると共に磁気ディスク１を一体に連結する回転体２と、磁気ディスク１および回転体２を収容するケース３と、を備えて構成する。【選択図】      図３
2006085805.tif 000002
【特許請求の範囲】
【請求項１】
データの記録・再生に寄与する複数の記録ディスクメディアと、前記複数の記録ディスクメディアを一体に連結し、底部に吸気孔を形成した回転体と、前記複数の記録ディスクメディアおよび前記回転体を収容するケースと、を備えた記録ディスクカートリッジであって、
前記回転体の側部に、前記吸気孔から吸気した空気を吹き出す排気孔を形成し、前記各記録ディスクメディアの少なくとも一方の面に前記排気孔から空気を吹きつけるようにしたことを特徴とする記録ディスクカートリッジ。
【請求項２】
前記回転体を、少なくとも１枚の前記記録ディスクメディアが固定されたセンタコアを複数重ねて形成し、
各センタコアの側部に前記排気孔を形成すると共に、各センタコアの底部に通気孔を形成したことを特徴とする請求項１に記載の記録ディスクカートリッジ。
【請求項３】
前記通気孔を前記センタコアの回転軸上に形成したことを特徴とする請求項２に記載の記録ディスクカートリッジ。
【請求項４】
前記各センタコアが有する前記通気孔の流路面積を外部から内部にいくに従って順に小さくなるようにしたことを特徴とする請求項２または請求項３に記載の記録ディスクカートリッジ。
【請求項５】
隣接する前記センタコアの底部に形成された前記通気孔の位置を互いにずらしたことを特徴とする請求項２に記載の記録ディスクカートリッジ。
【請求項６】
前記センタコアの底部に形成する少なくとも１個の前記通気孔の縁を、空気の吸気側に向けて突出させて、つば部を形成したことを特徴とする請求項２から請求項５のいずれか１項に記載の記録ディスクカートリッジ。
【請求項７】
前記つば部を、空気の吸気側に向かってテーパ面または曲面となるように形成したことを特徴とする請求項６に記載の記録ディスクカートリッジ。
【請求項８】
前記センタコアを、底部に形成した前記通気孔と側部に形成した前記排気孔とを備える有底円筒体としたことを特徴とする請求項２から請求項７のいずれか１項に記載の記録ディスクカートリッジ。
【請求項９】
前記センタコアを、底部と天部とを連通するように形成した前記通気孔と、側部に形成した前記排気孔と、を内部で連通させた円柱体としたことを特徴とする請求項２から請求項４のいずれか１項に記載の記録ディスクカートリッジ。
【発明の詳細な説明】
【技術分野】
【０００１】
本発明は、記録ディスクメディアを複数備える記録ディスクカートリッジに関する。
【背景技術】
【０００２】
近年、記録ディスクカートリッジとしては、記憶容量を増大させるために、一つのケース内に複数の磁気ディスク（記録ディスクメディア）をその回転軸方向に並ぶように設けたものが知られている（特許文献１参照）。このような記録ディスクカートリッジによれば、前記した記憶容量の増大化を図ることができる他、複数の磁気ディスクに対して記録再生装置側の複数のヘッドを別個に動かして同時にアクセスさせることでデータの転送速度の向上を図ることができ、さらには、複数の磁気ディスクのうち一つをパリティ用として利用することで記録ディスクカートリッジの信頼性の向上をも図ることができる。
【０００３】
【特許文献１】特開２００４−２２０１１号公報
【発明の開示】
【発明が解決しようとする課題】
【０００４】
しかしながら、前記の技術では、記録ディスクカートリッジのケース内に塵埃が入ると、この塵埃がデータの記録・再生（記録または再生）に悪影響を及ぼすといった問題があった。
【０００５】
そこで、本発明では、塵埃による不具合を無くすことができる記録ディスクカートリッジを提供することを目的とする。
【課題を解決するための手段】
【０００６】
前記課題を解決する本発明のうち請求項１に記載の発明は、データの記録・再生に寄与する複数の記録ディスクメディアと、前記複数の記録ディスクメディアを一体に連結し、底部に吸気孔を形成した回転体と、前記複数の記録ディスクメディアおよび前記回転体を収容するケースと、を備えた記録ディスクカートリッジであって、前記回転体の側部に、前記吸気孔から吸気した空気を吹き出す排気孔を形成し、前記各記録ディスクメディアの少なくとも一方の面に前記排気孔から空気を吹きつけるようにしたことを特徴とする。
【０００７】
ここで、「記録ディスクメディア」としては、信号の記録・再生方式によって限定されることはなく、例えば磁気ディスクや光ディスク等を採用することができる。
【０００８】
請求項１に記載の発明によれば、回転体の底部の吸気孔から吸気する空気が側部の排気孔から吹き出すため、回転体の側部に一体に連結された記録ディスクメディアの少なくとも一方の面に向かって空気を吹きつけることができる。そのため、記録ディスクメディアの少なくとも一方の面に前記排気孔から吹きつける空気は、記録ディスクメディアの少なくとも一方の面に付着した塵埃を面上から吹き飛ばし、気流に乗せてヘッド挿入口等の開口から記録ディスクカートリッジの外部に塵埃を放出する。
【０００９】
特に、回転体の底部の吸気孔は、スピンドルの軸部を挿入する回転中心に備える中心孔（通気孔）とするのが好ましい。軸部は、中心孔内に臨む先端に空気を送出する送出孔を開口した通気路を管状に形成したものとすればよい。
【００１０】
また、回転体の底部の吸気孔は、回転体の中心孔として形成されるばかりでなく、軸体を挿入する中心孔の周りに形成される少なくとも１個の吸気孔としてもよい。この場合には、回転体の回転により外部から内部に向かって空気を吸気するように気流を生じさせる羽体を吸気孔の縁に備えるようにしてもよい。
【００１１】
また、吸気孔から回転体内に空気を吸気させるタイミングとしては、記録ディスクカートリッジをドライブ筐体内に挿入した時、記録・再生直前、記録・再生直後、記録・再生時、または、記録ディスクカートリッジのドライブ筐体内への挿入から取り出しまでの間のいずれであってもよく、用途に合わせて設定するようにすればよい。
【００１２】
また、搬送ロボットによって記録ディスクカートリッジを搬送し、適宜ドライブに挿入して記録・再生を行うシステムの場合には、搬送ロボットに、回転体の吸気孔から空気を吸気させる管体を備えておき、記録ディスクカートリッジの搬送中に、回転体を通して記録ディスクメディアに空気を吸気させて記録ディスクメディアの面上に吹きつけて塵埃を取り除くようにしてもよい。この場合には、記録ディスクカートリッジがドライブに挿入される前に、塵埃を記録ディスクカートリッジの外部に放出することになるため、ドライブの筐体内に塵埃を溜めたり、ヘッドを汚したり、気流に乗って飛来する塵埃の衝突によるヘッド表面の傷つきを防止することもできるようになる。
【００１３】
また、記録ディスクカートリッジ内では、気流をなるべく遅くして記録ディスクメディアの風圧による振動を抑制するのが好ましいため、記録・再生時にはなるべく気流が生じないようにするのが好ましい。例えば、軸体を挿入する中心孔の周りに形成される吸気孔の場合には、テープ体等の貼付物を吸気孔に貼付しておき、空気が吸気されないように塞いでもよい。この場合には、適宜ユーザの選択により塵埃除去工程を行うときには、貼付物を剥がしてドライブに記録ディスクカートリッジをセットして空気を吸気させるようにすればよい。
【００１４】
また、記録ディスクカートリッジのケース内には、記録ディスクメディアの表面から吹き飛ばされた塵埃を付着させる付着体を備えるようにしてもよい。例えば、ケース内の角のような場所に、付着体を備えておくことによって、記録ディスクメディアの表面から取り除かれた塵埃がケースの外部に排出しにくい場合でも塵埃を付着体に付着させるため、記録ディスクメディアに塵埃が再度付着するのを防止することができる。付着体としては、例えば、不織布でよい。
【００１５】
一方、回転体の中心孔（吸気孔）から空気を吸気させる場合には、モータの回転により回転させる軸体に管状の中空部を形成することが好ましい。これにより、軸体の通気路を通して流れてくる空気が、軸体の先端から回転体の中心孔に流れ込むことで、回転体の内部に吸気される。
【００１６】
また、回転体への空気の吸気時には、回転体を回転させておくようにすることが好ましい。回転体の回転によって、記録ディスクメディア同士の間には、遠心力によって外側に空気が移動するような流れが生じるからである。
【００１７】
また、記録ディスクメディア同士の間を仕切る仕切壁を設けるようにしてもよい。このように仕切壁が各記録ディスクメディア同士の間に配置されていると、回転体の側部の排気孔から吹き出される空気を各記録ディスクメディアの表面に吹きつける気流を生じさせることができるため、効率よく記録ディスクメディアの表面の塵埃を取り除くことができる。
【００１８】
ところで、記録ディスクメディアの表面の塵埃を取り除く構造としては、ケース内に、複数の記録ディスクメディアを別個に仕切るための仕切壁を設け、仕切壁、ケースの上壁および下壁のうち記録ディスクメディアに対向する対向面に、塵埃を除去するためのライナを設ける構造を採用することができる。この構造によれば、記録ディスクカートリッジの記録・再生時において、複数の記録ディスクメディアを回転させた場合に、回転する各記録ディスクメディアとライナとが適宜摺動することによって、各記録ディスクメディアに付着した塵埃を除去することが可能である。
【００１９】
そのため、本発明のように、空気によって塵埃を取り除く構成と共に、前記したとおりのライナを併用することにより、記録ディスクメディアの表面の塵埃を取り除くように併用することによって、回転体の側部からの空気の吹き出しでは、記録ディスクメディアの表面から吹き飛ばすことができないような塵埃であっても、記録ディスクメディアとライナとの適宜な摺動によって記録ディスクメディアの表面の塵埃をライナに吸着させるため、記録ディスクメディアの表面から塵埃を除去することができるようになる。
【００２０】
前記課題を解決する本発明のうち請求項２に記載の発明は、請求項１に記載の記録ディスクカートリッジにおいて、前記回転体を、少なくとも１枚の前記記録ディスクメディアが固定されたセンタコアを複数重ねて形成し、各センタコアの側部に、前記排気孔を形成すると共に、各センタコアの底部に通気孔を形成したことを特徴とする。
【００２１】
請求項２に記載の発明によれば、外部に露出するセンタコアの底部に形成された通気孔（吸気孔）から空気を吸気し、回転体の側部に一体に連結された記録ディスクメディアの少なくとも一方の面に吹きつけるための空気を、回転体の側部に形成した排気孔から吹き出す。これによって、記録ディスクメディアの少なくとも一方の面に付着した塵埃が気流に乗って吹き飛ばされることになる。
【００２２】
前記課題を解決する本発明のうち請求項３に記載の発明は、請求項２に記載の記録ディスクカートリッジにおいて、前記通気孔を前記センタコアの回転軸上に形成したことを特徴とする。
【００２３】
請求項３に記載の発明によれば、センタコアに回転軸受けとして備えられている孔を通気孔として用いて、外部から空気を吸気する。特に、記録ディスクカートリッジの表面に露出するセンタコアの通気孔には、管状に形成された中空の回転軸が挿入され、回転軸の中空内を通って流れてくる空気が回転軸内に吸気されるようになっている。
【００２４】
前記課題を解決する本発明のうち請求項４に記載の発明は、請求項２または請求項３に記載の記録ディスクカートリッジにおいて、前記各センタコアが有する前記通気孔の流路面積を外部から内部にいくに従って順に小さくなるようにしたことを特徴とする。
【００２５】
請求項４に記載の発明によれば、前段のセンタコアの中空内を通って次段のセンタコアの底部に達した空気は、前段のセンタコアの通気孔の流路面積よりも次段のセンタコアの通気孔の流路面積が小さくなっているため、流路面積が同じ場合に比して次段のセンタコアの底面による抵抗を大きく受けることになる。そのため、回転体内の気流が、センタコアの底部ごとに分流しやすくなる。つまり、次段のセンタコアの通気孔に吸気していく気流と、次段のセンタコアの通気孔の周囲の底面に突き当たって底面を伝い中空内を側部に向かって流れ、側部の通気孔から回転体の外に吹き出す気流とが、生じやすくなる。
【００２６】
前記課題を解決する本発明のうち請求項５に記載の発明は、請求項２に記載の記録ディスクカートリッジにおいて、隣接する前記センタコアの底部に形成された前記通気孔の位置を互いにずらしたことを特徴とする。
【００２７】
請求項５に記載の発明によれば、前段のセンタコアの通気孔から回転体の中空内に吸気して生じた気流に対して次段のセンタコアの通気孔がずれて形成されているため、前記した流路面積の相違による場合と同様に、次段のセンタコアの底面による抵抗をずれていない場合に比して大きくすることができる。
【００２８】
前記課題を解決する本発明のうち請求項６に記載の発明は、請求項２から請求項５のいずれか１項に記載の記録ディスクカートリッジにおいて、前記センタコアの底部に形成する少なくとも１個の前記通気孔の縁を、空気の吸気側に向けて突出させて、つば部を形成したことを特徴とする。
【００２９】
請求項６に記載の発明によれば、次段のセンタコアの通気孔の縁につば部が形成されているため、流れてくる気流をつば部によって切り分けるようにして、次段のセンタコアの通気孔に吸気していく気流と、次段のセンタコアの通気孔の周囲の底面に突き当たる気流とに分流することができる。
【００３０】
前記課題を解決する本発明のうち請求項７に記載の発明は、請求項６に記載の記録ディスクカートリッジにおいて、前記つば部を、空気の吸気側に向かってテーパ面または曲面となるように形成したことを特徴とする。
【００３１】
請求項７に記載の発明によれば、つば部によって切り分けられるように分けられる気流を、テーパ面または曲面に沿って滑らかに分流させることができる。
【００３２】
前記課題を解決する本発明のうち請求項８に記載の発明は、請求項２から請求項７のいずれか１項に記載の記録ディスクカートリッジにおいて、前記センタコアを、底部に形成した前記通気孔と側部に形成した前記排気孔とを備える有底円筒体としたことを特徴とする。
【００３３】
請求項８に記載の発明によれば、記録ディスクカートリッジの底面から露出する有底円筒体としてのセンタコアの底部の通気孔（吸気孔）から吸気する空気を中空内を通して、側部の排気孔から空気を吹き出させると共に、次段の有底円筒体としてのセンタコアが重ねられている場合には、次段の有底円筒体の通気孔へ空気を送る。
【００３４】
なお、有底円筒体は、一部品からなる場合に限らない。例えば、底部を円板とし、側部を中空円筒体として互いを組み合わせて成形するようにしてもよい。なお、側部を形成する中空円筒体は、スペーサとしての機能を有するものであれば、底部と異なる材質であってもよい。また、スペーサとしては、中空円筒体でなくてもよく、例えば、立方体形状の部品を円筒形状に円板上に配置して取り付けるようにしてもよい。そのため、立方体形状の部品同士は、所定間隔を空けて配置する。ここで、所定間隔は、記録ディスクメディアの少なくとも一方の面の全面に渡って略均一に空気を吹きつけることができる間隔とするのが好ましい。なお、次に示すセンタコアが円柱体である場合も同様である。
【００３５】
前記課題を解決する本発明のうち請求項９に記載の発明は、請求項２から請求項４のいずれか１項に記載の記録ディスクカートリッジにおいて、前記センタコアを、底部と天部とを連通するように形成した前記通気孔と、側部に形成した前記排気孔と、を内部で連通させた円柱体としたことを特徴とする。
【００３６】
請求項９に記載の発明によれば、記録ディスクカートリッジの底面から露出する円柱体としてのセンタコアの底部の通気孔（吸気孔）から吸気する空気を連通路を通して、側部の排気孔から空気を吹き出させると共に、次段の円柱体としてのセンタコアが重ねられている場合には、通気孔の天部から次段の円柱体の通気孔へ空気を送る。
【発明の効果】
【００３７】
したがって、請求項１に記載の発明によれば、記録ディスクメディアの面上での塵埃との擦れによる傷つきを防止し、塵埃によって読み書きが邪魔されることもないため記録・再生を正確に行うことができ、さらに、ヘッドの汚れを防止することができる記録ディスクカートリッジを提供できる。そのため、請求項１に記載の発明によれば、記録ディスクメディアの面上から塵埃を気流に乗せて除去するため、塵埃による記録ミス等の不具合を無くすことができる。
【００３８】
請求項２に記載の発明によれば、センタコアの重ね合わせ枚数を適宜変更して記録容量の異なる記録ディスクカートリッジとしても、いずれの記録容量の場合でも、記録ディスクメディアが固定されたセンタコアを重ねるという同様の手順の繰り返しによって、底部から側部に空気を通す通気孔を備える回転体を形成することができる。
【００３９】
請求項３に記載の発明によれば、各センタコアの回転軸上に形成された通気孔を通して回転体の外部から吸気する空気が、各センタコアの側部に形成された排気孔から吹き出すように、回転体内に空気を通すことができる。
【００４０】
請求項４に記載の発明によれば、内部にいくに従って通気孔の流路面積が小さくなるため、外部側から内部側に行くに従って気流に対する抵抗がセンタコアごとに次第に大きくなり、次段のセンタコアに流れる風量と前段のセンタコアの側部から流れ出る風量とを調節して、各センタコアの側部から吹き出す風量および圧力を調節した設計・製造を行うことができる。
【００４１】
請求項５に記載の発明によれば、外部または前段のセンタコアから流れてくる空気を次段のセンタコアに当てて次段のセンタコアに流れる風量と前段のセンタコアの側部から吹き出す風量とを調節した設計・製造を行うことができる。
【００４２】
請求項６に記載の発明によれば、外部または前段のセンタコアから流れてくる気流をつば部により、次段のセンタコアへの気流と、前段のセンタコアの側部の通気孔から吹き出す気流とに分流させることができるため、次段のセンタコアに流れる風量と前段のセンタコアの側部から吹き出す風量とを調節した設計・製造を行うことができる。
【００４３】
請求項７に記載の発明によれば、つば部を空気の吸気側に向かって、気流を導きやすいテーパ面や曲面としたため、分流の設計・製造の範囲を広げることができる。
【００４４】
請求項８および請求項９に記載の発明によれば、有底円筒体または円柱体のいずれのセンタコアであっても、底部から側部に空気を通す通気孔を備える回転体を形成することができる。なお、有底円筒体の場合には、空気を通す空間を円柱体に比べて広くすることが可能であるため、風量を多くすることができる。これに対して、円柱体の場合には、少ない風量でも通気孔内での風圧が有底円筒体の場合に比べて高くすることができるため、回転体の側部から吹き出す気流の風速を容易に速くすることができる。
【発明を実施するための最良の形態】
【００４５】
次に、本発明の実施形態について、適宜図面を参照しながら詳細に説明する。
図１に示すように、記録ディスクカートリッジ１０は、三枚の磁気ディスク（記録ディスクメディア）１Ａ，１Ｂ，１Ｃ（以下「磁気ディスク１」という）と、これらの磁気ディスク１を一体に連結する回転体２と、磁気ディスク１および回転体２を収容するケース３およびシャッタ４とで主に構成されている。
【００４６】
磁気ディスク１は、ポリエチレンテレフタレート（ＰＥＴ）等からなる可撓性支持体の両面に磁性体層が形成された、いわゆるフレキシブルディスクであり、その中央部と外周縁部がそれぞれ非記録領域１ａ，１ｂとされ、これらの領域を除く円環状に記録領域１ｃが設定されている。なお、本実施形態においては、これらの非記録領域１ａ，１ｂおよび記録領域１ｃは、磁気ディスク１の両面に設定されている。また、磁気ディスク１の中央部には、円形の取付孔１１（図２参照）が形成されている。
【００４７】
次に、記録ディスクカートリッジの内部構造を説明する。
図２は、図１の記録ディスクカートリッジの断面図である。
図２に示すように、回転体２は、三枚の磁気ディスク１を所定の間隔で一体に連結させるものである。この回転体２は、ケース３の内壁に取り付けられた軸受け８に略点接触して、その接触点を回転中心として回転するものであり、主に、クランパ２１と、三つのセンタコア２２，２３，２４（以下「センタコア２２等」という）とを重ねて組み立てられて構成されている。なお、センタコア２２等同士は、図示しないねじ部材によって互いに締結したり、接着剤によって互いを接着したりして、お互いを固定する。
【００４８】
また、センタコア２２とクランパ２１とは、回転方向の移動を規制され、回転軸方向（図２中上下方向）の移動を許容された構造によって互いを接続している。例えば、このように接続する接続部材は、センタコア２２の回転軸方向に平行に形成した図示しない規制穴に、クランパ２１の図示しない規制ピンを挿入して抜けないようにして、記録ディスクカートリッジ１０内に回転体２を収容する構造とすればよい。ただし、後記するとおり、クランパ２１とセンタコア２２との間に、互いを反発するように付勢する付勢部材２５を配置する。
【００４９】
また、この回転体２は、各センタコア２２等の側部にリング状に形成されたリング面に回転中心を合わせて磁気ディスク１のそれぞれの取付孔１１を取り付けるようになっている。これによって、磁気ディスク１は、センタコア２２等の厚みによって回転軸方向に所定間隔を空けてケース３内に配置される。
【００５０】
なお、取付孔１１とリング面との取り付け方法としては、例えば、接着剤による接着やねじによる螺着を挙げることができる。センタコア２２等は、磁気ディスク１同士が所定間隔空くようにスペーサとしての役目を持っている。
【００５１】
また、この回転体２は、クランパ２１の底部と、各センタコア２２，２３の底部とにより内部を仕切られた中空体となっている。また、この回転体２は、図２中矢印のように下側から空気を吸気して、側部から空気を吹き出させる本発明の特徴としての塵埃除去機能を達成するため、各センタコア２２等には、図３を参照して後記するとおり、側部に排気孔および底部に通気孔を備えている。
【００５２】
ここで、図３〜６を参照して、回転体２のさらに詳細な構造を詳細に説明する。
図３は、図２の要部拡大断面図である。図４（ａ）は、図２のセンタコアのＡ−Ａ´断面図であり、（ｂ）は変形例に係る図２のセンタコアの図２のセンタコアＡ−Ａ´断面に相当する図である。図５は、記録ディスクカートリッジの下面図である。図６は、記録ディスクカートリッジを下面側から見た斜視図である。
【００５３】
図３に示すように、記録ディスクカートリッジ１０は、前記したとおり、クランパ２１と各センタコア２２等を重ねて組み立てられた回転体が、一体となってケース３（図１参照）内を回転自在に収容して構成されている。まず、このように収容される回転体２のセンタコア２２について説明する。
【００５４】
センタコア２２は、有底円筒体の構造を呈していて、複数の排気孔２２ａを側部に円周面上に適宜間隔で形成してある。この排気孔２２ａは、センタコア２２とクランパ２１の底部外壁とで囲まれる中空内の空気を吹き出させる通路である。なお、排気孔２２ａの個数および大きさは、後記するとおり、本発明の特徴である塵埃除去機能を磁気ディスク１の少なくとも一方の面の全面に渡って均一に空気を吹きつけるような気流を生じさせるものであれば、どのように設計・製造を行っても構わない。
【００５５】
ここで、図４を参照して、排気孔２２ａの配置について説明する。
排気孔２２ａは、図４（ａ）に示すように、ここでは、センタコア２２の側部に８個を形成してある。また、排気孔２２ａの周方向の大きさと排気孔２２ａ同士の間隔とは、略同一となる場合を表してある。
【００５６】
また、図４（ｂ）に示すように、排気孔２２ａから吹き出した空気の気流を速くして、効率よく磁気ディスク１Ａの各表面に空気が吹き出すように羽体２２ｄを形成したセンタコア２２Ａとしてもよい。
【００５７】
センタコア２２は、その底部の回転中心軸上に略円形状の通気孔２２ｂを形成してある。この通気孔２２ｂは、センタコア２３側から流れてくる空気を吸気するものである。この通気孔２２ｂの形状は、略円形状のものとするが、その形状はこれに限らない。例えば、その形状は、矩形や楕円であってもよい。
【００５８】
また、センタコア２２には、通気孔２２ｂの縁から中空内に突出するように、つば部２２ｃが形成してある。このつば部２２ｃは、中空内に向けて通気孔２２ｂの形状が円錐台形状を呈し、先細りなテーパ面（断面形状）をセンタコア２２側に臨ませている。これにより、つば部２２ｃは、センタコア２３側からセンタコア２２内に通気孔２２ｂを通して吸気する空気の気流を分散させないように集める機能を担っている。なお、ここでは、つば部２２ｃは、テーパ面を呈するように形成してあるが、曲面を呈するようにしてもよい。
【００５９】
次に、センタコア２３，２４については、側部の排気孔２３ａ，２４ａ、底部の通気孔２３ｂまたは通気孔（吸気孔）２４ｂ、つば部２３ｃ、２４ｃをそれぞれ形成してある有底円筒体である。これらはセンタコア２２の排気孔２２ａ，２２ｂ、つば部２２ｃと同様に形成すればよいため、説明を省略する。
【００６０】
ただし、記録ディスクカートリッジ１０の表面に露出するセンタコア２４については、その底部には、特に、図示しない記録再生装置内の後記するドライブスピンドル（図１７，１８参照（軸体７０３および磁石円板体７０７を含む組立体））に係合させるための略四角形状の通気孔（中心孔）２４ｂ（図５参照）が形成されている。すなわち、センタコア２４は、その底部の通気孔（吸気孔）２４ｂにドライブスピンドルの略四角形状の軸体７０３（図３等参照）が係合されて回転方向の互いの移動を規制し、かつ、センタコア２４の下面全体がドライブスピンドルによって磁気的に吸着されることによって、ドライブスピンドルからの回転力が伝達するように構成されている。
【００６１】
次に、クランパ２１について説明する。クランパ２１は、中空円筒体の構造を呈している。そして、クランパ２１は、センタコア２２，２３，２４と同様に、複数の排気孔２１ａ（側部）と、通気孔２１ｂ（底部）と、つば部２１ｃとを形成してある。排気孔２１ａは排気孔２２ａ，２３ａ，２４ａと同様に、また、通気孔２１ｂは通気孔２２ｂ，２３ｂ，２４ｂと同様に、つば部２１ｃはつば部２２ｃ，２３ｃ，２４ｃと同様に形成すればよいため、説明を省略する。
【００６２】
また、クランパ２１は、図３中の上側に略円錐形状の肉厚の回転軸部２１ｄ（図１参照）を形成してある。この回転軸部２１ｄは、その頂点を回転中心として回転するように、その頂点をケース３（図１参照）の軸受け８に接触するようになっている。なお、ここでは、回転軸部２１ｄは、略円錐形状で表して説明したが、その形状はこれに限らず、例えば、半球形状や針状突起であってもよい。
【００６３】
また、クランパ２１は、回転軸部２１ｄとの反対に位置する内壁側に、図３中底部側から上側への気流を側部側に滑らかに分流する略円錐形状の分流部２１ｅを形成してある。なお、ここでは、分流部２１ｅも、回転軸部２１ｄと同様に、略円錐形状で表して説明したが、その形状はこれに限らず、半球形状や多面体形状であってもよい。
【００６４】
これに対して、クランパ２１の通気孔２２ｂと、センタコア２２，２３の通気孔２２ｂ，２３ｂとの形状を略円形状としたのは、通気孔２１ｂ，２２ｂ，２３ｂを通る気流が、均一にクランパ２１およびセンタコア２２，２３の側部へ向かって流れるようにするためである。なお、これと同様に、ドライブスピンドルの軸体７０３の孔７０３ａは、センタコア２４の底部とセンタコア２３との底部との間の中空内に均一な気流となるようにするために、断面を略円形状としている。
【００６５】
また、センタコア２４の底面の材質は、ドライブスピンドル側と磁気的に接続するため、磁気によって吸着可能な鉄等の金属や磁性材料であることが好ましい。この場合、センタコア２４の全体が金属や磁性材料であるようにしてもよいが、センタコア２４の底面に金属や磁性材料を貼付するようにしてもよい。
【００６６】
なお、磁性材料としては、磁性材料の小片を散りばめて混ぜ込んだゴム材等の樹脂部材であってもよい。そのため、例えば、硬質プラスチックによってセンタコア２４を成形し、このセンタコア２４に磁性材料の小片を含む樹脂部材を接着剤によって接着して、回転体２の底部に磁化を持たせるようにしても構わない。
【００６７】
そのため、その吸気孔（通気孔）２４ｂは、クランパ２１の通気孔２１ｂ、センタコア２２，２３の通気孔２２ｂ，２３ｂと機能を異にしている。そして、センタコア２４は金属や磁性材料であることが好ましいが、センタコア２２，２３は金属や磁性材料でなくてもよい。
【００６８】
また、図５および図６に示すように、記録ディスクカートリッジ１０の底面に露出するセンタコア２４の底部には、回転の位置決めを補助するための補助孔２４ｄが形成されている。この補助孔２４ｄは、吸気孔（通気孔）２４ｂの略四角形状の角と共に、ドライブスピンドルと回転体２との間の回転方向の移動を規制するものである。なお、通気孔２１ｂ，２２ｂ，２３ｂ，２４ｂ（以下「通気孔２１ｂ等」という）の形状を全て同じにしてもよい。
【００６９】
なお、本発明の実施形態では、クランパ２１をセンタコア２２に被せるような構造を表して説明したが、このように蓋状のクランパ２１とするのではなく、中空で側部に排気孔が形成され、各センタコア２２，２３の中心を通り底部に設けた通気孔２２ｂ、２３ｂに挿入するような構造であってもよい。
【００７０】
なお、ここでは、クランパ２１およびセンタコア２２等は、通気孔２１ｂ等が回転軸上を通るように略同一の流路面積で形成した場合を説明した。しかし、後記するとおり、通気孔としては、略同一の流路面積で同一の形状の場合に限らず、また、回転軸上に配置する場合に限らない。
【００７１】
なお、センタコア２２等は、有底円筒体であるため、中空部分の強度が足りないような場合には、図示しないスペーサを中空部分に充填配置するようにしてもよい。ただし、その場合には、底部と側部とに形成する通気孔を連通するように、図示しないスペーサの形状の設計・製造を行う。例えば、リング状のスペーサとする場合には、中心から側部に抜ける貫通孔を備えるものとする。また、略四角形状のスペーサを適宜間隔を空けて円形状にセンタコア２２等の間に配置するようにしてもよい。
【００７２】
図１に戻って説明を続ける。なお、後記の説明では、適宜図７および図８を参照して説明する。図７は、図１の後側ハーフを示す分解斜視図である。図８は、図１の前側ハーフを示す分解斜視図である。
【００７３】
ケース３は、回転体２によって一体に固定された三枚の磁気ディスク１を収容するためのものであり、収容される磁気ディスク１の中心を基準にして二つのハーフ５，６に分割されている。なお、以下の説明においては、ケース３のうちシャッタ４が取り付けられる側を前側と呼び、その反対側を後側と呼ぶこととし、さらに、前記した二つのハーフ５，６を、前側ハーフ５および後側ハーフ６とも呼ぶこととする。また、説明の便宜上、後側ハーフ６から説明することとする。
【００７４】
後側ハーフ６は、図７に示すように、上下に四分割した部品から構成されており、その下側の一段目から三段目を構成する同一形状の後側収容部６１Ａ，６１Ｂ，６１Ｃ（以下「後側収容部６１」という）と、三段目の後側収容部６１Ａの上端に接合される平板状の後側上壁部６２とで主に構成されている。後側収容部６１は、矩形の平板の三辺に側壁を立設したトレー状の形状となっており、その底部６１ａの前端の中央部には、回転体２（図２参照）の外径よりも大径となる半円状の逃がし部６１ｂが形成されている。そして、各後側収容部６１と後側上壁部６２とを重ねて接合することで、三枚の磁気ディスク１の後側部分をそれぞれ収容するための三つの部屋が形成されるようになっている（図１参照）。
【００７５】
図１に示すように、前側ハーフ５には、その前部にシャッタ４を取り付けるための凹部５１が、上面５ａ、前面５ｂ、下面５ｃに渡って形成されている。この凹部５１には、その上面５１ａ、前面５１ｂ、下面５１ｃに渡って開口部５１ｄが形成されており、この開口部５１ｄを介して図示しない記録再生装置の複数の磁気ヘッドがケース３の内部の各磁気ディスク１にアクセスすることが可能となっている。また、凹部５１の上面５１ａには、後記するシャッタ４の抜け止め用の係止爪４１を係止させるための係止用孔５１ｅが開口部５１ｄを挟んだ両側に形成されている。さらに、凹部５１の前面５１ｂには、後記するシャッタ４のスライド用のガイド爪４２を摺動自在に係合させるための溝状のスリット５１ｆと、シャッタ４を常時閉方向（図示手前側）に付勢するためのシャッタ閉塞用ばね７の一端部７１を収容し、かつ、図示しない係止部で係止するための係止穴５１ｇとが形成されている。
【００７６】
また、前側ハーフ５は、図８に示すように、複数に分割されて構成されている。詳しくは、下側の一段目を構成する第一収容部５２と、二段目を構成する第二収容部５３と、三段目を構成する第三収容部５４と、この第三収容部５４の上端に接合される前側上壁部５５とで主に構成されている。
【００７７】
第一収容部５２は、前記した後側収容部６１Ｃ（図７参照）に対して略前後対称となる形状に形成されており、その前壁５２ｃには、前記した凹部５１、開口部５１ｄ、スリット５１ｆ、係止穴５１ｇの下側半分を構成する形状部５２ｄが適宜形成されている。これに対し、略平板状となる前側上壁部５５の前端には、前記した凹部５１、開口部５１ｄ、スリット５１ｆ、係止穴５１ｇの上側半分を構成する形状部５５ｄ（係止用孔５１ｅの形状部分も含む）が適宜形成されている。
【００７８】
第二収容部５３は、前記した後側収容部６１Ｂ（図７参照）に対して略前後対称となる形状に形成されており、その底部５３ａに形成された半円状の逃がし部５３ｂから前方に向かって所定の幅の分割溝５３ｃが形成されることによって、実質、二部品に分かれて構成されている。また、第二収容部５３の前部は、第一収容部５２（または、前側上壁部５５）の前部に形成された前記形状部から逃がすように所定形状に削り取られた形状となっている。
【００７９】
なお、第三収容部５４は、第二収容部５３と同じ構造であり、前記した後側収容部６１Ａ（図７参照）に対して略前後対称となる形状に形成されているため、その説明を省略する。そして、このように第二収容部５３および第三収容部５４に分割溝５３ｃ，５４ｃが形成されることによって、前側ハーフ５の開口部５１ｄから挿入される図示しない複数の磁気ヘッドが磁気ディスク１の記録領域１ｃ（図１参照）の内周縁まで良好に移動することが可能となっている。
【００８０】
前記したように、ケース３は、前側ハーフ５の第二収容部５３と第三収容部５４と、後側収容部６１Ａ，６１Ｂとによって、内部空間を三つの部屋に分け、それぞれの部屋ごとに磁気ディスク１を１枚ずつ振り分けた構造になっている。そのため、回転体２の側部の排気孔２１ａ，２２ａ，２３ａ，２４ａ（以下「排気孔２１ａ等」という）のそれぞれから吹き出す空気は、部屋ごとに分流され、また、磁気ディスク１の各面ごとに分流された気流となる。
【００８１】
ところで、ケース３の内部が部屋に分かれていない場合には、例えば、磁気ディスク１Ａの図２中下側面と、磁気ディスク１Ｂの図２中上側面との間の空間で気流の速さに違いが生じることも考えられる。この場合、気流に乗って各面から吹き飛ばされた塵埃が、気流の遅い側の面に溜まってしまい、確実に各面の塵埃を取り除けなくなってしまうことに繋がる。そのため、前記したように、ケース３の内部を三つの部屋に分ける構造によれば、気流が、部屋ごとに分流され、さらに、磁気ディスク１自体によって磁気ディスク１の各面に分流されるため、磁気ディスク１の各面に付着する塵埃を確実に取り除くことができる。
【００８２】
図１に戻って説明を続ける。シャッタ４は、上壁４ａ、前壁４ｂ、下壁４ｃによって断面視略Ｕ字状に形成されており、これにより前側ハーフ５の凹部５１に嵌まり込んで左右にスライドする構造となっている。そして、シャッタ４の上壁４ａには、シャッタ４の抜け止めに寄与する二つの係止爪４１が切り曲げられて形成されており、これらの係止爪４１は、前側ハーフ５に形成された二つの係止用孔５１ｅによって前後方向のみにおいて係止され、かつ、左右方向においては摺動が許容されるようになっている。
【００８３】
また、シャッタ４の前壁４ｂには、シャッタ４のスライドに寄与するガイド爪４２が後方に向けて切り曲げられて形成されると共に、その上端から下端にわたる範囲で開口部４３が形成されている。そして、前記したガイド爪４２が前側ハーフ５に形成されたスリット５１ｆに摺動自在に係合すると共に、シャッタ閉塞用ばね７の他端部７２と係合することによって、このシャッタ閉塞用ばね７でシャッタ４が常時閉方向（図示手前側）に付勢されるようになっている。
【００８４】
すなわち、シャッタ４は、シャッタ閉塞用ばね７によって閉方向側に押し付けられている状態においては、その前壁４ｂで前側ハーフ５の開口部５１ｄを塞ぎ、また、シャッタ閉塞用ばね７の付勢力に抗して開方向側の所定位置まで移動させた状態においては、その開口部４３が前側ハーフ５の開口部５１ｄと一致するように構成されている。なお、シャッタ閉塞用ばね７は、その基部７３が前側ハーフ５のスリット５１ｆから挿入されて前側ハーフ５内に収容され（図８参照）、かつ、その一端部７１が係止穴５１ｇ内に収容されるようになっており、その他端部７２（折り曲げられた部分）のみがスリット５１ｆ近傍の前面５１ｂに引っ掛かった状態でシャッタ４と係合するようになっている。
【００８５】
次に、記録ディスクカートリッジ１０の作用について図１から図８を適宜参照して説明する。
記録ディスクカートリッジ１０は、図示しない記録再生装置内の挿入口から挿入されると、ドライブスピンドルが回転体２の底部に密着する。このとき、ドライブスピンドルの軸体７０３がセンタコア２４の通気孔２４ｂに嵌り、ドライブスピンドルの図示しない磁石円板体がセンタコア２４の底面を磁気力によって吸着する。
【００８６】
また、記録ディスクカートリッジ１０は、図示しない記録再生装置内のシャッタ開放機構によってシャッタ閉塞用ばね７の付勢力に抗してシャッタ４を引っ張ってシャッタ４を開放させる。このとき、図１に示すように、開口部４３と開口部５１ｄとが一致するようにして、側面の一部に開口を開ける。これにより、記録ディスクカートリッジ１０が、図示しない記録再生装置内にセットされることになる。
【００８７】
このように、記録ディスクカートリッジ１０が図示しない記録再生装置内にセットされると、まず、この記録再生装置内のドライブスピンドルによって回転体２と一体に磁気ディスク１が回転することとなる。このとき、回転開始時の不安定な挙動である軸ぶれや撓みが生じる場合には、各磁気ディスク１は、近傍に設置された前側ハーフ５の第一収容部５２、第二収容部５３、第三収容部５４、後側収容部６１のそれぞれの図２および図３中では上側面が適宜摺接することによって、上下動を抑制され、安定に回転するようになる。
【００８８】
なお、前側ハーフ５の第一収容部５２、第二収容部５３、第三収容部５４、後側収容部６１は、摩擦の少ない材質で成形されているか、または、摩擦の少ない材質を塗布もしくは貼付しておくことによって、磁気ディスク１の表面を傷つけることもない。
【００８９】
そして、このとき、磁気ディスク１の回転初期時に、ドライブスピンドルの軸体７０３の孔７０３ａから空気を記録ディスクカートリッジ１０内に吸気させる。すると、前記したとおり、記録ディスクカートリッジ１０内では、回転体２内を空気が流れ、排気孔２１ａ等から磁気ディスク１の各表面に空気が吹き出していく。
【００９０】
これにより、前記したとおり、回転体２の側部の排気孔２１ａ等から吹き出していく空気により磁気ディスク１の表面に付着している塵埃が吹き飛ばされ、その後、塵埃は、記録ディスクカートリッジ１０のケース３の内壁の気流に乗って、記録ディスクカートリッジ１０の外部へ開口部５１ｄから吹き出される。
【００９１】
前記した構造および機能によれば、本実施形態において、次のような効果を得ることができる。
回転体２等の底部の通気孔２４ｂ等から空気を記録ディスクカートリッジ２等内に吸気し、回転体２等の側部の排気孔２４ａ等から空気を吹き出して、磁気ディスク１の各面に吹きつけるようにしたため、空気によって磁気ディスク１の各面に付着した塵埃を吹き飛ばして取り除くことで、各磁気ディスク１に対する記録ミスや再生ミスが起こらなくなるので、記録ディスクカートリッジ１０の信頼性を向上させることができる。
【００９２】
また、側部の排気孔２１ａ等と底部の通気孔２１ｂ等との大きさや径や配置を考慮して、磁気ディスク１の各面に吹き出す気流の速さや空気量を調節して、塵埃を取り除くのに適した記録ディスクカートリッジ１０の設計・製造を行うことができる。
【００９３】
続いて、図示しない記録再生装置の制御部は、前記したように塵埃除去工程が終了すると、記録指示または再生指示がユーザによってなされていない場合には、ドライブスピンドルの回転を止めて回転体２の回転を止めると共に、回転体２への空気の吸気を停止して待機状態にする。
【００９４】
そして、前記制御部は、待機状態に入る前に、前記記録指示または前記再生指示がユーザによってなされると、塵埃除去工程から続けて図示しないヘッド機構を作動し、ヘッドを記録ディスクカートリッジ１０の開口から挿入させ、各磁気ディスク１の記録面に対向させ、記録または再生を行う。
【００９５】
一方、前記制御部は、待機状態の場合に前記記録指示または前記再生指示がユーザによってなされると、ドライブスピンドルを回転させて安定な回転になるまで待ってから、図示しないヘッド機構を作動し、同様に、データの記録または再生を行う。なお、この待機状態からの場合には、塵埃除去工程を再度行ってもよいし、前記したとおり、記録ディスクカートリッジ１０の図示しない記録再生装置へのセット時に塵埃除去工程を既に行っているため、再度行わなくてもよい。
【００９６】
なお、塵埃除去工程は、記録ディスクカートリッジ１０が図示しない記録再生装置内にセットされる度に行うようにすることが好ましい。また、図示しない記録再生装置に塵埃除去工程の実行の有無をユーザに選択指示を行わせることができる機能を設けて、この選択指示がなされたときに塵埃除去工程を行うようにしてもよい。
【００９７】
次に、記録ディスクカートリッジ１０の内部構造の他の例１〜７について図９〜１６を参照しつつ説明する。なお、前記記録ディスクカートリッジ１０の構成および機能については、同一符号を付し説明を省略するものとし、異なる構成および機能について説明する。
【００９８】
図９は、本実施形態に係る記録ディスクカートリッジの他の例１を示す図２に相当する断面図である。この記録ディスクカートリッジ１１０は、クランパ１２１およびセンタコア１２２，１２３，１２４の底部に形成する通気孔１２１ｂ，１２２ｂ，１２３ｂ，１２４ｂ（以下「通気孔１２１ｂ等」という）の流路面積を外部から内部にいくに従って順に小さくなるようにした回転体１０２を備えている。
【００９９】
つまり、通気孔１２１ｂの流路面積＜通気孔１２２ｂの流路面積＜通気孔１２３ｂの流路面積＜通気孔１２４ｂの流路面積の関係が成立する。なお、ドライブスピンドル７０３の孔７０３ａは、通気孔１２４ｂに挿入され、回転体１０２内に空気を吸気させるため、通気孔１２３ｂの流路面積＜孔７０３ａの流路面積＜通気孔１２４ｂの流路面積の関係が成立するようになっている。なお、図９中において、通気孔（吸気孔）１２４ｂの内径は、通気孔１２１ｂの内径よりも、約２ｘだけ長くなっている。
【０１００】
なお、つば部１２１ｃ，１２２ｃ，１２３ｃ，１２４ｃ（以下「つば部１２１ｃ等」という）が、つば部２１ｃ，２２ｃ，２３ｃ，２４ｃ（以下「つば部２１ｃ等」という）と同様に、通気孔１２１ｂ等に形成されている。
【０１０１】
前記構造を備える記録ディスクカートリッジ１１０では、例えば、ドライブスピンドルの軸体７０３の孔７０３ａから空気が通気孔（吸気孔）１２４ｂを介してセンタコア１２４内に吸気すると、その気流はセンタコア１２３の底面に達する。このとき、センタコア１２３の通気孔１２３ｂを通る気流と、センタコア１２３の底面に突き当たる気流とが生じる。
【０１０２】
このように、センタコア１２３，１２２およびクランパ１２１の底面に突き当たる気流は、前記した同一流路面積で構成した通気孔２１ｂ等による場合の気流に比べて、側部へ流れる空気量を多くすることができる。そのため、通気孔１２１ｂ等の流路面積を調節して回転体１０２の設計・製造を行うことによって、磁気ディスク１の各面に流れる空気量を調節することができる。
【０１０３】
図１０は、本実施形態に係る記録ディスクカートリッジの他の例２を示す図であり、（ａ）は図２に相当する断面図であり、（ｂ）は回転体の底部に形成する通気孔の配置を示す図である。この記録ディスクカートリッジ２１０は、隣接するセンタコア２２４，２２３，２２２およびクランパ２２１のそれぞれの底部に形成された各通気孔２２１ｂ，２２２ｂ，２２３ｂ，２２４ｂ（以下「通気孔２２１ｂ」等という）の位置を互いにずらして形成すると共に、通気孔（吸気孔）２２４ｂよりも外側に位置する通気孔２２３ｂ，２２２ｂ，２２１ｂの個数を径の大きさに応じて多く形成するようにした回転体２０２を備えている。
【０１０４】
つまり、図１０（ｂ）に示すとおり、中心の通気孔２２４ｂの個数は１個であるのに対して、通気孔２２３ｂの個数は同心円状に１０個、通気孔２２２ｂの個数は同心円状に１０個、通気孔２２１ｂの個数は同心円状に１０個ずつ形成している。ここでは、通気孔２２３ｂ，２２２ｂ，２２１ｂの個数が同数である場合を示したが、これに限らず、例えば、記録ディスクカートリッジ１０の内側（上側）にいくに従って個数を多くまたは少なくしてもよい。
【０１０５】
前記したとおり、記録ディスクカートリッジ２１０は、通気孔２２１ｂ等をそれぞれずらして配置したため、通気孔２２４ｂに挿入された軸体７０３の孔７０３ａから吸気する空気が、各通気孔２２３ｂ，２２２ｂ，２２１ｂを通って各センタコア２２３，２２２およびクランパ２２１の各底面に突き当たる。
【０１０６】
そして、各底面に突き当たった空気は、略底面を伝って流れ、各通気孔２２１ｂ，２２２ｂ，２２３ｂのところでさらに底面に沿って流れる気流と各通気孔２２１ｂ，２２２ｂ，２２３ｂに流れる気流とに分流され、クランパ２２１またはセンタコア２２２，２２３の各底面に沿って流れる気流が側部の排気孔２１ａ等のそれぞれから吹き出すことになる。なお、つば部２２１ｃ，２２２ｃ，２２３ｃ，２２４ｃが、つば部２１ｃ等と同様に、各通気孔２２１ｂ等の縁に形成されている。
【０１０７】
そのため、通気孔２２１ｂ等の配置と個数とを調節して回転体２０２の設計・製造を行うことによって、磁気ディスク１の各面に流れる空気量を調節することができる。
【０１０８】
図１１は、本実施形態に係る記録ディスクカートリッジの他の例３を示す図２に相当する断面図である。この記録ディスクカートリッジ３１０は、クランパ３２１およびセンタコア３２２，３２３の各底部に形成する通気孔３２１ｂ，３２２ｂ，３２３ｂ（以下「通気孔３２１ｂ等」という）の縁に、空気の吸気の上流側に向けて突出させてつば部３２１ｃ，３２２ｃ，３２３ｃ（以下「つば部３２１ｃ等」という）を形成した回転体３０２を備えている。なお、センタコア２４が通気孔（吸気孔）２４ｂの縁につば部２４ｃを吸気下流側に向けて形成してあるのは、図３の参照して説明した記録ディスクカートリッジ１０の場合と同様である。
【０１０９】
記録ディスクカートリッジ３１０では、各つば部３２１ｃ等が空気の吸気側（上流）に向けて形成してあるため、各つば部３２１ｃ等に向かって流れてくる気流を切り分けるようにして、各通気孔３２１ｂ等側に流れる気流と、クランパ３２１またはセンタコア３２２，３２３の各底面側に流れる気流とに分流することになる。
【０１１０】
そのため、底部の通気孔３２１ｂ等から吸気する空気量をつば部３２１ｃ等の長さや角度を適宜設定して調節することによって、側部の排気孔２１ａ等へ流れる気流の空気量を調節して設計・製造することができる。
【０１１１】
図１２は、本実施形態に係る記録ディスクカートリッジの他の例４を示す図２に相当する断面図である。この記録ディスクカートリッジ４１０は、特にクランパ４２１に特徴がある回転体２を備えている。クランパ４２１は、有底円筒部４２１ｆと、この有底円筒部４２１ｆの中心軸を通り自由端側を開口した中空の有底円筒軸部４２１ｇとで、その主な外形を形作っている。
【０１１２】
有底円筒部４２１ｆの円筒である側部には、図３を参照して説明したように、排気孔２１ａが形成されている。また、有底円筒部４２１ｆの図１２中の上側には、略円錐形状の肉厚の回転軸部４２１ｄを形成してある。なお、この回転軸部４２１ｄは、図１や図３を参照して説明した回転軸部２１ｄと同様の構成および機能であるため説明を省略する。
【０１１３】
一方、有底円筒軸部４２１ｇの側部には、略排気孔２１ａと同様に、適宜な形状および大きさの通気孔４２１ｂが適宜配置して形成されている。この通気孔４２１ｂは、中空部分とで断面Ｙ字型になる傾斜面４２１ｃによって形成され、下側からの気流を図１中の水平方向に滑らかに流れていくようにしている。
【０１１４】
また、有底円筒部４２１ｆの内面とセンタコア２２の上面とを互いが離れる方向に付勢する付勢手段４２５を配置してある。また、クランパ４２１は、センタコア２２との間で、回転方向の移動を規制され、回転軸方向の移動を許容されて接続している。
【０１１５】
そして、前記した構造の記録ディスクカートリッジ４１０の回転体４０２では、センタコア２３から流れてくる空気が、有底円筒軸部４２１ｇの中空内へ吸気する気流と、センタコア２２の底面に突き当たり、その底面に沿って流れる気流とに分流する。
そのため、前記したクランパ４２１であっても、空気を吸気して吹き出す回転体４０２の設計・製造を行うことができる。
【０１１６】
図１３は、本実施形態に係る記録ディスクカートリッジの他の例５の後側を主に示す断面図である。
この記録ディスクカートリッジ５１０は、中空の円柱体である回転体５０２を備えたことが特徴である。この回転体５０２は、その上面に回転軸部２１ｄと同様の回転軸部５０２ａを備え、軸受け８に接触して回転可能になっている。
【０１１７】
また、回転体５０２は、その底部に通気孔２１ｂや２２ｂ等と同様の通気孔５０２ｂを形成してある。また、この通気孔５０２ｂの縁には、つば部２１ｃ等と同様のつば部５０２ｃを形成してある。さらに、回転体５０２は、その側部に排気孔２１ａ等と同様の排気孔５０２ｅを形成してある。なお、これらの機能は、前記した対応する各部の機能と同一であるため、説明を省略する。
【０１１８】
また、この回転体５０２は、その側部にリング状に２個の磁気ディスク取付け部５０２ｆ，５０２ｇが形成してある。この磁気ディスク取付け部５０２ｆ，５０２ｇには、磁気ディスク１Ｂ，１Ｃをそれぞれ取り付けるようになっている。なお、その取り付け方法は、前記のとおり、接着剤やねじ等により行える。
【０１１９】
このように、記録ディスクカートリッジ５０２は、２枚の磁気ディスク１Ｂ，１Ｃを取り付けるため、ケース内には２個の部屋が形成されるように、後側収容部６１Ｂ，６１Ｃと後側上壁部６２とで後側ハーフを形成するようになっている。なお、前側ハーフについても２個の部屋を形成する構造であるが、その構造および組立て状態は前側の収容部を２段にすれば前記した前側ハーフ５と同様に行えるため、説明を省略する。
【０１２０】
前記した構造の記録ディスクカートリッジ５１０では、回転体５０２の中空内に通気孔５０２ｂから吸気した空気が、排気孔５０２ｅから吹き出す気流を生じさせ、磁気ディスク１Ｂ，１Ｃの各面に吹きつけられて、各面に付着した塵埃を取り除くことができる。そのため、回転体５０２を一体に成形しやすい中空体としたため、センタコアを組立てるよりも容易に回転体５０２の設計・製造を行うことができる。
【０１２１】
図１４は、本実施形態に係る記録ディスクカートリッジの他の例６の後側を主に示す断面図である。
この記録ディスクカートリッジ６１０は、図３等を参照して説明した磁気ディスク１を取り付けた回転体２を収容するケースの内部の構造に特徴がある。
【０１２２】
この記録ディスクカートリッジ６１０は、後側ハーフについて説明すると、図１４に示すとおり、後側収容部６１Ａ，６１Ｂの内側に配される図１４中の上下両面と、後側収容部１Ｃの内側面と、後側上壁部６２の内側面とのそれぞれにライナ８１を貼付した構造となっている。前側ハーフ５についても同様にライナ８２（図１５参照）を貼付した構造となっている。
【０１２３】
図１５は、ケース内に設けるライナを示す図であり、半リング状の第一ライナを示す斜視図（ａ）と、略扇状の第二ライナを示す斜視図（ｂ）である。
【０１２４】
つまり、前側ハーフおよび後側ハーフを構成する各部品（５２〜５５（前側ハーフ（図８参照））、６１、６２（後側ハーフ（図７参照）））には、図１５（ａ）に示すような半リング状の第一ライナ８１や、図１５（ｂ）に示すような前記第一ライナ８１を略半分に分割したような形状（第一ライナ８１の中心から円弧の先端にかかる部分を前記した分割溝５３ｃと同じ幅だけ取り除くことによって形成される略扇形の形状）の第二ライナ８２が適宜固着されている。具体的には、図８に示す前側ハーフ５を構成する部品のうち、第一収容部５２の底部５２ａの上面および前側上壁部５５の下面には、第一ライナ８１が固着され、第二収容部５３の底部５３ａの両面および第三収容部５４の底部５４ａの両面には、第二ライナ８２が固着されている。また、図７に示す後側ハーフ６を構成する部品のうち、一段目を構成する後側収容部６１の上面、二段目および三段目を構成する後側収容部６１の両面および後側上壁部６２の下面には、第一ライナ８１が固着されている。
【０１２５】
ここで、前記ライナ８１，８２は、不織布等で形成されており、磁気ディスク１に付着した塵埃を除去する機能を有する他、その弾力性によって磁気ディスク１との干渉を和らげる機能を有している。また、各ライナ８１，８２の内周縁から外周縁までの長さは、前記した磁気ディスク１の記録領域１ｃ（図１参照）の内周縁から外周縁までの長さ以上の大きさとなるように形成されている。
【０１２６】
したがって、この記録ディスクカートリッジ６１０では、各ライナ８１（８２）と磁気ディスク１とが適宜摺接するため、各磁気ディスク１の上面または下面に塵埃が付着した状態であっても、この塵埃がライナ８１等によって除去されることとなる。なお、磁気ディスク１の回転開始時においては、フレキシブルである磁気ディスク１の外縁が上下に振れることがあるが、このように振れたとしても磁気ディスク１は、弾力性に富んだライナ８１等と接触するので、その損傷が防止されることとなる。
【０１２７】
また、回転体２の底部から空気を吸気して、その側部から空気を吹き出させて、各磁気ディスク１の各面に空気を吹きつけると、各面に付着していた塵埃が吹き飛ばされ、ライナ８１等に付着すると共に、吹き飛ばされた塵埃のうちのいずれかは、気流に乗って記録ディスクカートリッジ６１０の外部に排出される。また、各面から吹き飛ばされなかった塵埃があった場合でも、ライナ８１等が適宜摺接することにより、磁気ディスク１の各面から確実に塵埃を取り除くことができるようになる。
【０１２８】
そのため、記録ディスクカートリッジ１０を図示しない記録再生装置内にセットすると、まず、この記録再生装置内のドライブスピンドルによって回転体２と一体に磁気ディスク１が回転することとなる。このとき、回転体２の底部から空気を吸気して、その側部から空気を吹き出させて、各磁気ディスク１の各面に空気を吹きつけると、各面に付着していた塵埃が吹き飛ばされる。
【０１２９】
吹き飛ばされた塵埃は、ライナ８１等に付着すると共に、ライナ８１等に付着しなかった塵埃は、気流に乗って記録ディスクカートリッジ６１０の外部に排出される。また、各面から吹き飛ばされなかった塵埃があった場合でも、近傍に設置された各ライナ８１等（８２）と適宜摺接するため、各磁気ディスク１の上面または下面に塵埃が付着した状態であっても、この塵埃がライナ８１等によって除去されることとなる。
【０１３０】
なお、磁気ディスク１の回転開始時においては、フレキシブルである磁気ディスク１の外縁が上下に振れることがあるが、このように振れたとしても磁気ディスク１は、弾力性に富んだライナ８１等と接触するので、その損傷が防止されることとなる。
【０１３１】
ところで、記録・再生時においても、各磁気ディスク１は適宜ライナ８１等に摺接しているので、記録・再生時において塵埃が入ってきたとしても、その塵埃がライナ８１等によって即座に除去されることとなる。また、ライナ８１等に付着した塵埃が気流によって、吹き飛ばされるため、ライナ８１等の寿命を延ばすことにも繋がる。
【０１３２】
図１６は、本実施形態に係る記録ディスクカートリッジの他の例７を示す図２に相当する断面図である。この記録ディスクカートリッジ９１０は、底部と天部とを連通するように形成した通気孔９２２ｂ，９２３ｂ，９２４ｂ（以下「通気孔９２２ｂ等」という）と、側部に形成した排気孔９２２ａ，９２３ａ，９２４ａ（以下「９２１ａ等」という）とを内部で連通させた円柱体としてのセンタコア９２２，９２３，９２４（以下「センタコア９２２等」という）、および、底部の通気孔９２１ｂと側部の通気孔９２１ａとで一つの連通孔を形成したクランパ９２１を重ねて組み立てた回転体９０２を備えている。
【０１３３】
この回転体９０２では、センタコア９２２等とクランパ９２１とが重ねられた状態で、通気孔９２４ｂ，９２３ｂ，９２２ｂ，９２１ｂが天部と底部とで互いに連通して、通気可能に繋がるようになっている。なお、センタコア９２２等同士は、接着剤やねじ部材によって接続されている。
【０１３４】
ところで、クランパ９２１は、センタコア９２２の通気孔９２２ｂに嵌りこむ嵌合部９２１ｃと、回転軸部９２１ｄと、分流部９２１ｅとが形成され、また、センタコア９２２と対向する面に穴９２１ｆが形成され、センタコア９２２を押す方向に付勢する付勢手段２５が内挿されている。
【０１３５】
したがって、円柱体としてのセンタコア９２２等およびクランパ９２１内では、通気孔９２２ｂ等と通気孔９２１ｂとを通して、排気孔９２２ａ等と排気孔９２１ａから空気を吹き出させることができる。このように、記録ディスクカートリッジ９１０では、センタコアの形状が円柱体であっても、磁気ディスク１に空気を吹きつけることができる回転体９０２を構成することができるため、設計・製造の幅が広がる。
【０１３６】
次に、図１７〜１９を参照しつつ、記録ディスクカートリッジ２への空気の吸気機構の概念を説明する。図１７は、本実施形態に係る記録ディスクカートリッジへの空気の吸気機構の概念を説明する断面図であり、塵埃除去時を示す図である。図１８は、図１７の吸気機構の塵埃除去機能の解除時を示す断面図である。図１９は、図１８で示した吸気機構の塵埃除去機能の解除機構を説明する部分斜視図である。
【０１３７】
図１７に示すとおり、スピンドルモータ７００は、回転体２を回転させると共に、本発明の特徴である空気を吸気させる機構を備えたものである。
このスピンドルモータ７００は、有底円筒体７０１と、その開口を塞ぐ円板体７０２とで外形の筐体を形作っている。そして、スピンドルモータ７００は、その中心に軸体７０３を回転自在に軸着させている。この軸体７０３は、孔７０３ａ（図３等参照）を形成した管状をしている。
【０１３８】
また、軸体７０３には、磁石円板体７０７が回転体２の取り付け側に臨むように表面に露出して軸着されている。この磁石円板体７０７が、回転体２のセンタコア２４（図３等参照）の底面に磁気的に吸着するようになっている。なお、スピンドルモータ７００の内部構造については、一般に知られている構造とすればよいため説明を省略する。
【０１３９】
また、スピンドルモータ７００には、送風機構７１０が図１７，１８中の下側の軸体７０３の回転軸上に配されている。送風機構７１０は、円板体７０２に取り付けられる枠体７１１と、この枠体７１１に沿って図１７，１８中上下方向に移動可能なスライダ７１２と、このスライダ７１２の中心に回転自在に設けられた管状体７１３と、管状体７１３に軸支された軸体７１４に支えられる羽体７１５とを主に備えている。また、スピンドルモータ７００および送風機構７１０に図示しない電源から供給する電力のスイッチング動作を制御する図示しない制御部が備えられている。
【０１４０】
ところで、管状体７１３と軸体７０３との結合は、図１９に示すように、管状体７１３の孔７１３ａと軸体７０３の孔７０３ａとが連通するように結合させる。そして、この状態で、軸体７０３が回転すると、これに結合する管状体７１３も回転する。これにより、この管状体７１３に軸支された軸体７１４が回転し、軸体７１４に取り付けられた羽体７１５が回転する。この羽体７１５が回転すると、図１９に示すように、孔７１３ａに向かって空気を送り込む気流を発生させる。そして、孔７１３ａを通して孔７０３ａに空気を送り込み、前記したように、軸体７０３に軸着したセンタコア２４内に空気を吸気させることになる。
【０１４１】
最後に、記録ディスクカートリッジの他の例８と空気の吸気機能を説明する。図２０は、本実施形態の記録ディスクカートリッジの他の例８と空気の吸気機能を説明する図であり、（ａ）は空気の吸気機構を説明する部分断面図であり、（ｂ）は記録ディスクカートリッジに露出するセンタコアの露出部分の平面図であり、（ｃ）は記録ディスクカートリッジに露出するセンタコアの底部に形成する通気孔（吸気孔）を説明する要部拡大斜視図である。なお、以下の説明において、説明に直接使用する部品の符号のみ付し、その他は省略する。
【０１４２】
この例８の記録ディスクカートリッジ１０は、回転体２の露出するセンタコア２４（図３等参照）の代わりにセンタコア２６を採用した構造である。このセンタコア２６は、図２０（ａ），（ｂ），（ｃ）に示すとおり、軸体８０３を挿入され回転中心となる中心孔２６ｂから放射状に吸気孔２６ｅを形成し、羽体２６ｄを回転体２の内部に向けて形成してある。この回転体２が回転することにより、羽体２６ｄが空気を吸気する気流を発生させ、吸気孔２６ｅを通して空気を吸気するようになっている。
【０１４３】
前記した構造の記録ディスクカートリッジ１０の吸気孔２６ｅに空気を吸気させるために、スピンドルモータ８００は、円筒体８０１と円板体８０２とで外形の筐体を形作っている。円筒体８０１には、図２０中上側面に、吸気孔２６ｅに連通するように形成した孔８０１ａと、側面に形成した孔８０１ｂとが備えてある。また、円板体８０２には、図２０中の孔８０１ａの略真下に孔８０２ａが形成されている。
【０１４４】
前記したとおり、軸体８０３は、軸体７０３（図１７等参照）とは異なり、孔７０３ａに相当する管状の孔が形成されておらず、空気を吸気する機能を備えていない。その代わりに、前記した構造では、スピンドルモータ８００の筐体を形成する円筒体８０１と円板体８０２とに通気孔８０１ａ，８０１ｂ，８０２ａ（以下「通気孔８０１ａ等」という）を形成すると共に、回転体２を構成するセンタコア２６に通気孔２６ｄと羽体２６ｅとを形成したものである。
【０１４５】
そして、記録ディスクカートリッジ１０では、スピンドルモータ８００によって回転体２が回転すると、センタコア２６に形成された羽体２６ｅが回転体２内に吸気する気流を発生させるため、通気孔８０１ａ等を通してスピンドルモータ８００側から流れてくる空気が吸気孔２６ｄから吸気されることになる。なお、記録ディスクカートリッジ１０内に吸気された空気の流れは、前記したとおりなので、ここでは説明を省略する。
【０１４６】
なお、前記した構造では、記録・再生時にも常に空気が回転体２内に吸気されてしまう。そこで、空気を吸気させなくてもよいときには、センタコア２６の吸気孔２６ｄを図示しないシール体などを貼付して通気を遮蔽してしまうようにすればよい。
【０１４７】
したがって、記録ディスクカートリッジにドライブスピンドルの軸体を介さずに空気を吸気する構造を一つのバリエーションとして設計・製造の際に考慮することができる。また、軸体を介して吸気させる前記した構造と共に併用することによって、記録ディスクカートリッジ内に効率的に大量の空気を送り込むことも可能となる。
【０１４８】
なお、本発明は、前記実施形態に限定されず、様々な形態で利用することができる。
本実施形態では、磁気ディスク１の数を三枚および磁気ディスク１Ｂ，１Ｃの二枚（例５）としたが、本発明はこれに限定されず、いくつであってもよい。例えば、例５の記録ディスクカートリッジ５１０の場合には、回転体が、同一回転軸を通るように径の異なる円筒を重ねたような磁気ディスク取付け部とした構造であれば、３枚以上の磁気ディスクを容易に取り付けることができる。
【０１４９】
本実施形態では、磁気ディスク１の両面に記録領域１ｃを設けたが、本発明はこれに限定されず、片面のみに記録領域を設けてもよい。
本実施形態では、シャッタ４をスライド式のものとしたが、本発明はこれに限定されず、例えばロータリ（回転）式のシャッタであってもよい。
【０１５０】
本実施形態では、前側ハーフ５および後側ハーフ６を上下に四分割した構成としたが、本発明はこれに限定されず、例えば前側ハーフ５および後側ハーフ６を射出成型によってそれぞれ一体成型してもよい。また、ケース３を前後に分割する構成としたが、左右に分割する構成としてもよい。
【０１５１】
本実施形態では、回転体２を回転させながら回転体２への空気を吸気して塵埃の除去を行う場合を想定して説明したが、回転体２を回転させずに回転体２に空気を吸気させるようにしてもよい。
【図面の簡単な説明】
【０１５２】
【図１】本実施形態に係る記録ディスクカートリッジを示す分解斜視図である。
【図２】図１の記録ディスクカートリッジの断面図である。
【図３】図２の要部拡大断面図である。
【図４】（ａ）は、図２のセンタコアのＡ−Ａ´断面図であり、（ｂ）は変形例に係る図２のセンタコアの図２のセンタコアＡ−Ａ´断面に相当する図である。
【図５】記録ディスクカートリッジの下面図である。図６は、記録ディスクカートリッジを下面側から見た斜視図である。
【図６】図１の記録ディスクカートリッジを下面側から見た斜視図である。
【図７】図１の後側ハーフを示す分解斜視図である。
【図８】図１の前側ハーフを示す分解斜視図である。
【図９】本実施形態に係る記録ディスクカートリッジの他の例１を示す図２に相当する断面図である。
【図１０】本実施形態に係る記録ディスクカートリッジの他の例２を示す図であり、（ａ）は図２に相当する断面図であり、（ｂ）は回転体の底部に形成する通気孔の配置を示す図である。
【図１１】本実施形態に係る記録ディスクカートリッジの他の例３を示す図２に相当する断面図である。
【図１２】本実施形態に係る記録ディスクカートリッジの他の例４を示す図２に相当する断面図である。
【図１３】本実施形態に係る記録ディスクカートリッジの他の例５の後側を主に示す断面図である。
【図１４】本実施形態に係る記録ディスクカートリッジの他の例６の後側を主に示す断面図である。
【図１５】ケース内に設けるライナを示す図であり、半リング状の第一ライナを示す斜視図（ａ）と、略扇状の第二ライナを示す斜視図（ｂ）である。
【図１６】本実施形態に係る記録ディスクカートリッジの他の例７を示す図２に相当する断面図である。
【図１７】本実施形態に係る記録ディスクカートリッジへの空気の吸気機構の概念を説明する断面図であり、塵埃除去時を示す図である。
【図１８】図１６の吸気機構の塵埃除去機能の解除時を示す断面図である。
【図１９】図１７で示した吸気機構の塵埃除去機能の解除機構を説明する部分斜視図である。
【図２０】本実施形態の記録ディスクカートリッジの他の例８と空気の吸気機能を説明する図であり、（ａ）は空気の吸気機構を説明する部分断面図であり、（ｂ）は記録ディスクカートリッジに露出するセンタコアの露出部分の平面図であり、（ｃ）は記録ディスクカートリッジに露出するセンタコアの底部に形成する通気孔（吸気孔）を説明する要部拡大斜視図である。
【符号の説明】
【０１５３】
１０    記録ディスクカートリッジ
１      磁気ディスク
２      回転体
２１  クランパ
２１ａ  通気孔（側部）
２１ｂ  通気孔（底部）
２１ｃ  つば部
２１ｄ  回転軸部
２１ｅ  分流部
２２，２３，２４  センタコア
２２ａ，２３ａ，２４ａ  通気孔（側部）
２２ｂ，２３ｂ，２４ｂ  通気孔（底部）
２２ｃ，２３ｃ，２４ｃ  つば部
２５  付勢部材
３      ケース
４      シャッタ
５      前側ハーフ
５２    第一収容部
５２ａ  底部
５３    第二収容部
５３ａ  底部
５４    第三収容部
５４ａ  底部
５５    前側上壁部
６      後側ハーフ
６１Ａ，６１Ｂ，６１Ｃ    後側収容部
６１ａ  底部
６２    後側上壁部
【図１】
2006085805.tif 000003
【図２】
2006085805.tif 000004
【図３】
2006085805.tif 000005
【図４】
2006085805.tif 000006
【図５】
2006085805.tif 000007
【図６】
2006085805.tif 000008
【図７】
2006085805.tif 000009
【図８】
2006085805.tif 000010
【図９】
2006085805.tif 000011
【図１０】
2006085805.tif 000012
【図１１】
2006085805.tif 000013
【図１２】
2006085805.tif 000014
【図１３】
2006085805.tif 000015
【図１４】
2006085805.tif 000016
【図１５】
2006085805.tif 000017
【図１６】
2006085805.tif 000018
【図１７】
2006085805.tif 000019
【図１８】
2006085805.tif 000020
【図１９】
2006085805.tif 000021
【図２０】
2006085805.tif 000022